(57)【要約】フィルムをスキャンする際のフィルムの経年劣化による色誤りを補正する装置に関する。ここでは画像幅全体にわたって延在する選択された画像領域をスキャンすることにより形成されたビデオ信号をフィルタへ供給する。フィルタはノイズ成分および画像内容を抑圧するように構成されている。フィルタの出力信号は補正回路の補正信号としてフィルムのスキャンによって形成されたビデオ信号に対して供給される。このフィルタは自動補正関数を選択された画像領域のビデオ信号に適用する機能部により形成される。
2004532537.tif 000002
【特許請求の範囲】
【請求項１】
フィルムスキャン時にフィルムの経年劣化プロセスによる色誤りを補正する装置において、
スキャニングにより画像幅全体にわたって延在する画像領域（５１〜５６）を選択して形成されたビデオ信号がフィルタ（１８〜２４）へ供給され、
該フィルタ（１８〜２４）はノイズ成分および画像内容を抑圧するように構成されており、
該フィルタの出力信号はフィルムのスキャンによって形成されたビデオ信号に対する補正回路（１５）の補正信号として供給される
ことを特徴とする色誤りを補正する装置。
【請求項２】
フィルタは自動補正関数を選択された画像領域（５１〜５６）のビデオ信号に適用する機能部により形成される、請求項１記載の装置。
【請求項３】
選択された画像領域のビデオ信号は自動補正関数を適用する前にローパスフィルタリングにかけられる、請求項２記載の装置。
【請求項４】
フィルタはローパスフィルタである、請求項１記載の装置。
【請求項５】
画像領域（５１〜５６）は１本から数本のラインの高さを有する、請求項１から４までのいずれか１項記載の装置。
【請求項６】
ユーザが画像領域（５１〜５６）の選択を入力可能である、請求項１から５までのいずれか１項記載の装置。
【請求項７】
選択される画像領域（５１〜５６）内に予め調整された色成分が充分な規模で存在するか否かに応じて画像領域の選択が自動的に行われる、請求項１から５までのいずれか１項記載の装置。
【請求項８】
自動的に選択された画像領域は補正信号を形成するためのスキャンの前にユーザに表示され、画像領域の確認または変更の機会が設けられる、請求項７記載の装置。
【請求項９】
種々の画像高さでの画像領域、および／または種々の画像からの画像領域、および／または種々のフィルムシーンの画像領域が選択される、請求項１から８までのいずれか１項記載の装置。
【発明の詳細な説明】
【０００１】
本発明はフィルムをスキャン時のフィルムの経年劣化プロセスによる色誤りを補正する装置に関する。
【０００２】
カラーフィルムを保管しているあいだの経年劣化のために、エマルジョン内部の色粒子が徐々に重力にしたがって移動すること（粒子マイグレーション）により、色誤りが生じる。反転フィルムではしばしば赤の色粒子がこれに該当し、またカラーネガフィルムではイエローおよびシアンの色がこれに該当する。こうした色誤りは例えばこれらの色を含む単色の水平方向のラインの個所でその全長にわたって色が変化するといったかたちで認識される。
【０００３】
粒子マイグレーションに起因する各色成分の誤りは、フィルムが異なる長さの期間保存されていた部分や異なる材料を含む部分から成るのでないかぎり、フィルム全体にわたってほぼ一定である。
【０００４】
本発明の課題は、フィルムの経年劣化による色誤りを補正する装置を提供し、僅かな操作コストでできるだけ良好な補正を行えるようにすることである。
【０００５】
この課題は、本発明により、スキャニングにより画像幅全体にわたって延在する画像領域を選択して形成されたビデオ信号がフィルタへ供給され、このフィルタはノイズ成分および画像内容を抑圧するように構成されており、このフィルタの出力信号はフィルムのスキャンによって形成されたビデオ信号に対する補正回路の補正信号として供給される装置を構成して解決される。
【０００６】
特に良好な画像成分の抑圧は、本発明の１つの実施形態によれば、自動補正関数を選択された画像領域のビデオ信号に適用するフィルタを形成して達成される。このとき計算コストを低減するために、選択された画像領域のビデオ信号は自動補正関数を適用する前にローパスフィルタリングにかけられる。
【０００７】
フィルムにおいてモノトーンの画像内容に適した色を有する画像領域を選択する場合には、フィルタを単にローパスフィルタのみから形成してもよい。
【０００８】
補正信号を形成する際の計算コストを制限するために、本発明では、画像領域は１本から数本のラインの高さを有するものとする。
【０００９】
本発明の装置の別の有利な実施形態では、ユーザは画像領域の選択を入力可能である。この場合、ユーザは適切な色を与えられている画像領域をその印象および経験に基づいて選択することができる。
【００１０】
僅かなコストで済む実施形態として、選択される画像領域内に予め調整された色成分が充分な規模で存在するか否かに応じて画像領域の選択が自動的に行われる構成が挙げられる。この場合、自動的に選択された画像領域は補正信号を形成するためのスキャンの前にオペレータに表示され、画像領域の確認または変更の機会が設けられるように構成してもよい。
【００１１】
後者の実施形態では、予め調整すべき色成分はフィルムの形式に応じて定められる。カラーネガフィルムではフィルム製造の時間に応じてマゼンタおよびシアン、場合によりイエローの色成分が相当し、これはそれぞれの色粒子の定着の品質に依存して決まる。ポジフィルムでは赤の色粒子が粒子マイグレーションすることから、これが相当することが多い。
【００１２】
本発明の別の有利な実施形態では、種々の画像高さでの画像領域、および／または種々の画像からの画像領域、および／または種々のフィルムシーンからの画像領域が選択される。できる限り一貫して補正信号内のノイズ成分、粒子成分、および画像成分を抑圧するために、フィルムの補正時には前述の手法のバリエーションの全てを画像領域に適用することができる。ただし適切な画像内容では個々のバリエーションを省略してもよい。
【００１３】
本発明の実施例を図示し、以下に詳細に説明する。図１には本発明のフィルムスキャナ装置のブロック図が示されている。図２にはフィルム保管時の赤の色粒子のマイグレーションにより発生する赤の信号Ｒと画像幅との依存関係が示されている。図３には選択された画像領域を有するフィルムの種々のセクションが示されている。
【００１４】
図１にはフィルムスキャナのうち本発明の説明に必要な部分の概略図が示されている。ここでは、厚さが拡大されて示されているフィルム１がフィルムガイドエレメント２によって案内される。このフィルムガイドエレメントはフィルムウィンドウ３を形成する。フィルム１のスキャニングを行うために、このフィルムは例えば矢印４の方向へ運動する。ここでフィルムの層５はフィルムガイドエレメント２に接触しない側に配置されている。
【００１５】
照明装置６によりフィルムは照明される。ここではフィルタ７および絞り８が設けられている。絞り８は光電流を完全に抑圧するための付加的な絞りを備えたアイリス絞りとして構成されている。解りやすくするために、図１には光電流を抑圧する絞り８は概略的にしか示していない。
【００１６】
それぞれ１本ずつ照明されるラインは対物レンズ９およびカラービームスプリッタ１０を用いてカラー値信号Ｒ、Ｇ、Ｂを形成する３つのラインセンサ１１へ結像される。ラインセンサ１１の出力信号はプリアンプ１２を介してアナログディジタル変換器１３へ供給される。変換器はそれぞれ簡単にしか示していない。
【００１７】
色誤りを補正するために３つの装置１７が用いられるが、そのうち１つだけが詳細に示されている。この装置はデマルチプレクサ１４と、乗算補正回路１５と、データバス１８を介してディジタル信号プロセッサ１９に接続されたメモリ装置とを有している。このメモリ装置は複数のラインメモリ素子から成っているが、解りやすくするためにそのうちの２つ２１、２２しか示していない。これらのラインメモリ素子にはそれぞれ１つずつクロスバー２３、２４が前置接続および後置接続されている。出力側１６では補正されたディジタルカラー値信号が取り出される。
【００１８】
クロスバー２３を用いれば、それぞれ１つのラインを形成する信号をデマルチプレクサ１４およびディジタル信号プロセッサ１９からデータバス１８を介してラインメモリ素子２１、２２へ選択的に書き込むことができる。いっぽうクロスバー２４を用いれば、ラインメモリ素子２１、２２から読み出された補正回路１５の信号をデータバス１８を介してディジタル信号プロセッサ１９へ供給することができる。個々のラインメモリ素子２１、２２への信号の分配を含む書き込みおよび読み出しは制御装置２５によって制御され、この制御装置はさらにディジタル信号プロセッサ１９からどのラインの書き込みまたは読み出しを行うかについての情報を受け取る。
【００１９】
さらにディジタル信号プロセッサ１９はデュアルポートＲＡＭ２６を介してフィルムスキャナ全体の制御に用いられるプロセッサ２７に接続されている。実際のフィルムスキャナではこのようなタスクは一般に複数のプロセッサへ分割されるが、このことは本発明の説明にとってはそれほど重要ではない。他の機能とならんで、プロセッサ２７は駆動装置２８を介して対物レンズのシャープなフォーカシングを調整する。さらにプロセッサ２７は照明装置６を制御し、また駆動装置２９を介して絞り８を制御する。
【００２０】
プロセッサ２７はさらに複数のモータを備えたフィルムスキャナの駆動ユニット３０全体を制御する。この駆動ユニットは図１では概略的にモータのシンボルにより示されている。プロセッサ２７に接続された操作装置３１により通常のフィルムスキャナの操作機能のほか、本発明の装置の操作、特に画像領域の選択が可能となる。このためにフィルムは駆動ユニット３０を用いて適切な画像またはフィルムシーンまで運動し、その画像領域が操作装置３１の適切なアクチュエータにより選択される。相応にプロセッサ２７内でマークが形成され、このマークは混合回路３２を介してモニタ３３へ供給されるビデオ信号に混入される。
【００２１】
選択は操作装置３１で例えばキーの押圧により操作され、これに応じて選択された画像領域に属するビデオ信号がデマルチプレクサ１４およびクロスバー２３を相応に制御することによりラインメモリ素子２１、２２へ読み込まれる。ユーザは次に別の画像領域を選択し、その信号を同様に記憶させる。充分な数の画像領域が選択された後、ディジタル信号プロセッサ１９での相応の入力により記憶された信号のフィルタリングが開始される。
【００２２】
前述のように有利には第１の段階でローパスフィルタリングが行われ、僅かな計算コストのみでこれに続く自動補正機能を実行できる。フィルタプロセスの終了時にラインメモリ素子２１、２２内で所望の補正信号が生じ、この信号がこれに続くフィルムスキャナの再生動作の際にラインごとに反復して読み出され、補正回路１５へ供給される。モニタ３３では補正回路の作用が監視される。場合により別のステップで補正の精細化が行われる。
【００２３】
選択された画像領域はランダムシーケンスＳ（ｘ，ｚ，ｔ）に相応する。ここでｘは列であり、ｙは相対行であり、ｔは種々のサンプリング時点のシーケンスである。つまりＳ（ｘ，ｚ，ｔ）は時点ｔでの行列（ｘ、ｙ）に相応する。このシーケンスはここでは統計的に処理される。特に専用の自動補正関数を用いると、列方向のシーケンスのみが解析される。
【００２４】
Ｋ［（ｘ１，ｙ１），（ｘ１，ｙ２），．．．，（ｘ１，ｙｎ）］：＝ｍ［Ｓ（ｘ１，ｙ１），Ｓ（ｘ１，ｙ２），．．．，Ｓ（ｘ１，ｙｎ）］
ここでｎは相互に連続する行の数である。期待値ｍは式
【００２５】
【数１】
2004532537.tif 000003
【００２６】
にしたがって表される。Ｎは選択された領域の数であり、ｉは１〜Ｎの範囲の計数パラメータである。演算の結果は全ての関数に共通する関数成分の良好な近似値となる。
【００２７】
図２には色物質粒子のマイグレーション作用の例が示されている。マイグレーションにより赤の信号Ｒの特性４１はｘ＝０の１つの画像縁とｘ＝ｂの他の画像縁とのあいだの水平方向位置ｘに依存して生じている。これは画像幅全体にわたって均一に分布する赤の信号（曲線４２）から偏差している。本発明ではこの偏差を補償するので、保管前に生じていた一定の赤の信号の特性に対して画像幅全体にわたって補正により再び一定の特性が得られる。
【００２８】
補正に適した画像領域の選択を以下に図３に則して説明する。ここには種々のフィルムシーンを備えたフィルムの３つのセクション４３、４４、４５が示されている。選択された画像領域はそれぞれハッチングにより区別される。画像４６〜４８からはそれぞれ船の色が支配的な同じ画像領域が選択され、画像４９、５０からは空を表す画像領域が選択された。
【００２９】
同じ画像高さ（Ｂｉｌｄｈｏｅｈｅ； ｐｉｃｔｕｒｅ ｈｅｉｇｈｔ）で選択された画像領域はフィルムの粒子を含むノイズを抑圧するために用いられる。異なる画像高さで選択された画像領域の評価は画像内容の抑圧に用いられる。ただしこれは、例えば当該のフィルム画像内に明らかに垂直方向に延在するパターンが存在しなかったり、フィルムの経年劣化に起因しない色特性がそれぞれのシーン内に存在する場合、多くのケースで充分ではない。したがってこの実施例では付加的に画像領域５１〜５３がセクション４４から選択され、画像領域５４〜５６がセクション４５から選択される。
【００３０】
これに関連して、補正の品質は最終的には画像領域の選択およびフィルタリング、特にフィルタリングの計算コストに依存するということを指摘しておきたい。画像領域を適切に選択することにより、例えばフィルムシーンの選択数が少なくても良好な補正が達成される。本発明の装置ではさらに計算された補正量を適用後の試行の際に変化させ、場合により良好な結果を得られるまで複数回反復させることも可能である。
【００３１】
選択された画像領域のビデオ信号は、図１に関連して説明したように、補正信号を導出するためにフィルタリングされる。
【図面の簡単な説明】
【図１】
本発明のフィルムスキャナ装置のブロック図である。
【図２】
赤の信号Ｒと画像幅との依存関係を示すグラフである。
【図３】
選択された画像領域を有するフィルムの種々のセクションを示す図である。
【国際公開パンフレット】
2004532537.tif 000004
2004532537.tif 000005
2004532537.tif 000006
2004532537.tif 000007
2004532537.tif 000008
2004532537.tif 000009
2004532537.tif 000010
2004532537.tif 000011
2004532537.tif 000012
2004532537.tif 000013
2004532537.tif 000014
2004532537.tif 000015
2004532537.tif 000016
【国際調査報告】
2004532537.tif 000017
2004532537.tif 000018
2004532537.tif 000019
2004532537.tif 000020